(57)【要約】【課題】従来、建物の壁面に入居者が棚やハンガーパイプや黒板、掲示板、額縁等を取り付ける際には、クギやビスや彫り込みアンカー等を打ち込んだりしなくてはならず、多種の道具も必要であったし、素人大工では難しい工事であった。そのため見栄えのいいもの、丈夫なものは出来にくかったしこれらを撤去する際には撤去跡が残っていた。又、地震による家具の転倒防止手段も信頼のおけるものが見つからなかった。【解決手段】新築工事の際に、建築主等の要望により壁面に施工しておけば、後で入居者が素人でも簡単にこれらの取り付けが出来、地震の際には縦揺れや横揺れによる家具類の転倒防止、移動防止にも利用でき、引越しの際には壁面に撤去跡を残さないでこれらの取り外しが出来る新規な建築工事部材としての上下にガイドレールを備えた支持基板と、これと嵌合するガイドを備えた支持具よりなる多用途ガイドレール装置を提供する。【選択図】図４
2007306956.tif 000002
【特許請求の範囲】
【請求項１】
壁に固定される支持基板と、この支持基板に係合される支持具とで構成されるガイドレール装置であって、支持基板の上端とこれより一定の距離に位置する下端とで支えられ、少なくとも上端側においては支持基板のガイドレールと支持具のガイドのいずれか一方がC字状断面であり、他方がこのC字状断面に嵌合するT字状断面を有し、下端側においては支持基板の平板面に支持具が当接する構造であるガイドレール装置。
【請求項２】
前記支持基板の下端側においても、支持基板のガイドレールと支持具のガイドのいずれか一方がC字状断面であり、他方がこのC字状断面に嵌合するT字状断面である請求項１記載のガイドレール装置。
【請求項３】
支持具がガイドレールにねじ止めされ、固定板を備えている転倒防止具である請求項１、２記載のガイドレール装置。
【請求項４】
支持具が固定板との間に弾力性部材を備えている請求項３記載のガイドレール装置。
【発明の詳細な説明】
【技術分野】
【０００１】
本発明は建物の壁面に、任意の間口の棚やハンガーパイプや黒板や額縁等の取り付け、取り外しが容易に出来、更に地震の縦揺れや横揺れによる家具類の転倒防止、移動防止にも利用出来て、取り外す際には壁面に撤去跡を残さない建築工事部材としてのガイドレール装置に関する技術である。
【背景技術】
【０００２】
従来、既設の建物の壁面に棚を取り付ける手段としては、一般的にクギやビスを打ち込んで任意の間隔で片持ちブラケットを壁に固定してその上に棚板を載せていた。これらの仕事は素人大工では時間も掛かり、様々な大工道具も必要で、きれいには出来にくかったし、強度的にも不安な面があった。そして、引越し等でそれを撤去する際には大きな撤去跡が壁面に残っていた。このような様々な短所もあるが、任意の位置に任意の間口の棚を設けることができるという長所があるため、なかなか捨てきれない手段であった。又、近年来るべき大地震に対する建築物の備えが大きな課題となっている。そして、家具類の転倒防止手段についても様々な装置が市販されているが信頼のおけるものを見つけることができなかった。それから、賃貸オフィスにおいて家具を壁や床にL型金具を用いてビスで固定するという方法があるが、ボード張りのため固定力が得られないとか、退去時の現状復帰の問題があってこの工事はやりにくかった。
【０００３】
従来より棚を取り付ける技術としては、陳列ケース等の縦柱や側壁に点々とスリットを刻んでおき、それに棚板を高さ自由に嵌めこむという様々な類似技術があった。（特許文献１参照）。しかしながらこれらの方法だと柱の間隔と同じ間口の棚しか取り付けることが出来なかったし、棚の位置も柱の位置にしか取り付けられなかった。
【０００４】
そして、壁面に前もって取り付けられた一本のレールや長押や付鴨居に、入居者が棚を取り付けるというのがあった。（特許文献２参照）。これは、一本のレールでは、軽量の物を載せるには支障ないが、本等の重いものを載せると、発生する曲げモーメントに耐えられなかった。
【０００５】
また、上側の一本のレールと下側の壁面とで片持ちブラケットを支えるというのがある。（特許文献３参照）。これは、建築物の壁面は通常細かい凸凹があり、複数の片持ちブラケットがまっすぐに揃いにくいということがあった。また、近年、建物の壁面の仕上げは石膏ボード張りの上にビニルクロス仕上げというのが主流であり、本等の重いものを棚に載せた場合、ブラケットの下側の支点が柔らかい石膏ボードにめり込んで棚が傾いてしまうという危険性があった。
【０００６】
それから、複数の一本レールを壁面に水平、平行に取り付けておいて収納ボードや収納棚や小物品等を支持させるというのがあった。（特許文献４参照）。これは、建築物の壁面には細かい凸凹があるのが常で、複数のレールを施工するには精度上の苦労があった。また、上下のレールを同時に利用して一つの物品を取り付ける場合には、あらかじめ後で取り付ける物品を想定して、その高さに上下のレールの距離を合わせておかねばならないとか、そうしなかったら、物品の取り付けハンガーを後で特注で製作しなくてはならないという不自由さがあった。そして一本のレールに物品を取り付ける場合には重いものは危険であった。
【０００７】
それと、係合溝と係止溝を上下に備えた固定板に支持ブラケットを載せ引っ掛けて左右にスライド出来るというのがあった。（特許文献５参照）。これは、両方の溝の上部が開放となっているため、地震時（特に縦揺れ時）や人間が下側からぶつかった時等に振動ではずれて落下するという危険性があった。
【０００８】
また、従来より、家具類の転倒防止対策としては、まず、家具類と天井の間に突っ張り棒を立てるつっぱり式があった。（特許文献６参照）。しかし、あらかじめ突っ張り棒の荷重が掛かる位置に天井下地補強材を入れておけば別だが、一般的にボード張りの天井は荷重を掛けてもよいようには施工されておらず大変弱いものである。そのため、この方法は地震の際に天井のほうが破壊される可能性が多かった。また、これは、横揺れの際には、はずれ落ちてしまう可能性もあった。
【０００９】
そして、家具の下と床の間にクサビを差し込むふんばり式。（特許文献７参照）。家具を前もって少しだけ後ろの壁の方に傾けておくものであるが限度があり、その効果には疑問があったし、家具の内部の棚が水平にならないということもあった。そして、これは、横揺れの際には、家具の重心が上部にあるため、かえって、転倒してしまう危険性があった。
【００１０】
それから、家具の下と床の間に粘着材を挟む粘着材式。（特許文献８参照）。近年常識として使用されている防音用フローリング等は上からの荷重には丈夫であってもクッション材が挟まれているものが多く、引き剥がし力に対して丈夫には施工されていない。そのため、建築の素人にとってはその辺の状況判断がつきにくく、粘着材の粘着力が強い場合には床表面材が剥がれて家具が倒れてしまう危険性があった。そして、また、横揺れの際には、重心が上部にあるため、かえって、転倒してしまう可能性もあった。
【００１１】
また、背面の壁に耐震長押を取り付けておいて家具の後面に取り付けてある固定金物を耐震長押に掛止するというのがあった。（特許文献９参照）。これは、固定金物を家具の後面に取り付けたり差し込んだり両者の位置を合わせるのが素人大工には難しい事であった。
【００１２】
そして、付鴨居取付用部材にアタッチメントで家具を固定するというのがあった。（特許文献１０参照）。これは、従来より、建物の付け鴨居は１８０センチの高さに取り付けるのが常識であり１８０センチより低い家具の場合は図示のアタッチメントを取り付けることが出来るが、近年は２００センチの家具が多くなってきて、この場合は取り付けることが難しかったし、図４のように突き板できれいに仕上げられた家具の側面にビス止めして傷をつけることは勇気が必要であった。
【００１３】
また、レールに沿ってスライドする回転自在のL型取り付け具で家具の上面を固定するものもある。(特許文献１１参照)。これは、実際は家具のすぐ上にレールが設置されていなくてはならず、前もって家具の高さを想定することは難しい事であった。そして、家具の高さ以下にレールが設置されている場合は、背面にあるレールに嵌められているL型取り付け具を家具の側面までスライドさせてビス等で家具の側面にビス止めするというものである。しかし、家具の側面は前面と同じ突き板等できれいに仕上げられており、これにビス止めすることは一大決心の必要な事であった。
【００１４】
それから、レールよりも家具が高い場合には摺動部材で家具の上面を下向きに引っ張って転倒を防ぐというものがあった。（特許文献１２参照）。これは、摺動部材が一本のレールに一本のねじで止められているため、強い横揺れで前側に移動する家具に引っ張られて付け根が曲がりやすいとか、図１０の水平ステーが図７の水平ステーを垂直ステーの巾よりも広くしたようなもので、家具の上面をビス止めしたならば、一本のねじで止められた垂直ステーは次の縦揺れで偏芯力によりねじのところで回転し垂直ではなくなり何度も襲ってくる横揺れや縦揺れで破壊されてしまうという可能性があった。
【００１５】
それと、最も一般的な方法は古来より壁や木造鴨居にクギ打ちして金具やチェーン等で引っ張っておく方法があった。しかし、この方法は強度や美観に欠けたり、撤去跡が残ったりして採用できにくいものであった。また、L型金具を用いて家具を壁や床に固定するという方法もあったが、これも撤去跡が残っていた。
以上述べたように様々な背景技術があったが、本発明のように、棚等を取り付けたり家具の転倒防止にも利用できる簡単で頑丈な多用途のレール装置はなかった。
【００１６】
【特許文献１】特開H０６−１６９８１９
【特許文献２】特開H１０−１９６０９５
【特許文献３】特開２００５−０９５５４８
【特許文献４】特開H０７―１４８０３６
【特許文献５】実登３１１０３８３
【特許文献６】特開H０７−２９３５１７
【特許文献７】特開２００５−１１０９３６
【特許文献８】実登３１１６４５４
【特許文献９】特開２００１−５４４３７
【特許文献１０】特開H０９―３１０４３０
【特許文献１１】特開H０９―３１０４３０
【特許文献１２】特開２００６−３４８２４
【発明の開示】
【発明が解決しようとする課題】
【００１７】
本発明は、このような従来の構成が有していた問題点を解決しようとするものであり、入居者が素人でも棚やハンガーパイプや黒板や額縁等を壁面に簡単に頑丈に取り付けたり、撤去跡を残さないように取り外しが出来るようにしようとするものであり、更に、地震時の縦揺れや横揺れによる家具の転倒防止や横揺れによる移動防止にも利用できるガイドレール装置を提供しようとするものである。これらを取り付けるのに人間の頭が当たらないで手の届く高さ、すなわち、１８０から２００センチ程度とすればこれらの取り付け高さとして適当であるため、このように多用途とすることが出来るのである。そして、従来は新築時に取り付けるには使用用途が少なかったため、建築主が躊躇していたこの種のレール装置を多用途とすることで、入居者の利便性を考えて何の迷いもなく取り付けて欲しいと要望するようにしようとするである。
【課題を解決するための手段】
【００１８】
そこで、本発明の第１の課題解決手段は上記の目的を達成するために、壁に固定される支持基板と、この支持基板に係合される支持具とで構成されるガイドレール装置であって、支持基板の上端とこれより一定の距離に位置する下端とで支えられ、少なくとも上端側においては支持基板のガイドレールと支持具のガイドのいずれか一方がC字状断面であり、他方がこのC字状断面に嵌合するT字状断面を有し、下端側においては支持基板の平板面に支持具が当接する構造であるガイドレール装置で構成されるものである。
【００１９】
また、本発明の第２の課題解決手段は上記目的を達成するために、前記支持基板の下端側においても、支持基板のガイドレールと支持具のガイドのいずれか一方がC字状断面であり、他方がこのC字状断面に嵌合するT字状断面である請求項１記載のガイドレール装置で構成されるものである。
【００２０】
それと、本発明の第３の課題解決手段は上記目的を達成するために、支持具がガイドレールにねじ止めされ、固定板を備えている転倒防止具である請求項１、２記載のガイドレール装置で構成されるものである。
【００２１】
そして、本発明の第４の課題解決手段は上記目的を達成するために、支持具が固定板との間に弾力性部材を備えている請求項３記載のガイドレール装置で構成されるものである。
【発明の効果】
【００２２】
上記第１の課題解決手段による効果は次の通りである。すなわち、この支持基板２１、２２の少なくとも上端側のガイドレール３１と、支持具５の上側のガイド５１をC字状断面かT字状断面として互いに嵌合するようにし、これより一定の距離に位置する下端側は支持基板２１から延びる平板面４に、支持具５の下側の支点５０を当接するようにしたため、地震の縦揺れや横揺れに支持具５がはずれて落下しないようにしたものである。しかし、これには支持具５の下側の支点５０が平板面４から浮き上がるという不安が残る。
【００２３】
近年、鉄筋コンクリート造の建築物の場合、主要な壁は鉄筋コンクリート壁とし、主要でない壁は多くが軽鉄間仕切り壁で設計されているようであるが、本発明のガイドレール装置を施工する際に、前記支持基板２１、２２は鉄筋コンクリート壁に彫り込みアンカー等で取り付けるのが最も頑丈である。また、本発明のガイドレール装置を軽鉄間仕切壁に施工する場合は支持基板２１をスタッドにビス止めするのであるが、取り付ける位置に水平方向の補強材を挿入しておけば、より頑丈にできる。また、通常は４５センチ間隔で入れるスタッドを３０センチ間隔とするとか、部材の厚いスタッドを使用するとかして、通常の軽鉄間仕切壁よりも頑丈に施工しておく方がよい。だからといって、全体の工事費からすれば微々たる物でこれくらいの補強工事で工事費がアップするようなものではない。そして、木造間仕切り壁の場合でも同じように、45センチ又は30センチ間隔で入れてある間柱にビス止めすれば充分な耐力を得る事が出来る。耐力が不足しそうな場合は実験や計算によりスタッドや間柱や補強材を増やせばよい。
【００２４】
上記第２の解決手段による効果は次の通りである。すなわち、図２（a）、（ｂ）のように下端側も上端側と同様なガイドレール３２とガイド５２とし、一定の距離を有する上下２点で互いに嵌合したので、地震や人が下方から頭をぶっつけた際等でも支持基板２３から支持具５がはずれることはないし、下側の支点が浮き上がるという不安もなくなった。また、（ｃ）のようにねじ止め式としてもよい。
【００２５】
そこで、図４のように、支持具５を片持ちブラケット６１、６２、６３とすれば家具を置いた残りのスペースに、壁に取り付けてある支持基板２３のガイドレールの開口部３４にハンガーパイプ用の片持ちブラケット６２を2本差し込み、左右にスライドさせ、両端のブラケット６２にハンガーパイプ８を載せて、ビス止めすれば簡単に物干し竿や洋服ハンガーパイプが完成する。近年、花粉症対策や都市での有害な塵埃や下着泥棒等のため室内で洗濯物を干す人が多くなっているが、洗濯物を掛けたハンガーを鴨居等に掛ける事の出来る様々な器具が市販されているものの、ドアを開いたままにしてしなくてはならないし、和室が少なくて付鴨居も少ししかないし、床置式の物干し具は邪魔になるし、室内での物干し場の確保に主婦は困っていた。本発明の支持基板２３を室内の壁面に施工しておくと、洋服掛けや洗濯物干し場の確保に役立つものである。エアコンやファンヒーター等で乾燥させることができる。
本などを置いてもいいような棚の欲しい人は棚用のブラケット６１を2本開口部３４に差し込んでスライドさせ、適当な間口の棚板７を載せて下からビス止めすれば簡単に頑丈な棚を設けることができる。
又、近年盛んになっているホームシアター設備の巻き上げ式スクリーンを天井から吊り下げたいが、天井下地に補強が施工されていないため仕方なくじゃまになる床置き式のスクリーンを置くのが通常であったが、本発明の支持基板が１．９メートルくらいの高さに施工されていると、片持ちブラケット６２を取り付けてちょうどいい高さに任意の巾のスクリーンを簡単に吊り下げる事ができる。
また、棚７を設けて軽いものを載せるのであれば、棚７の下の片持ちブラケット６３に更にハンガーパイプ８を取り付けることもできるものである。
【００２６】
それから、図６、７のように、支持具をフック９１、９２とした場合に、壁面の端から端までいっぱいに本発明の支持基板２３を施工しておけば、賃貸オフィスビルや学校建築等の場合でも、後で、使用者がフック９１を用いて黒板等の比較的重い物でも必要に応じて簡単に取り付けができる。そして、上下２点でガイドレールにねじ止めしているため、文字等書き込む際に横揺れがなく書きやすい。額縁等もフック９２を用いると高さと傾きを簡単にそろえてきれいに横一列に並べて掛ける事ができる。そして、撤去の際には傷跡を残さない。室の使用用途によってはこの支持基板２３を数段取り付けておけば、前記以外にも様々な用途に利用できるものである。
【００２７】
近年、介護保険によるデイサービス施設が盛んに新築されている。沢山の高齢者や障害者がこの施設を利用しておられるが、ここでは、趣味の習字や水彩画や編み物や折り紙等の作品展がよく行われていて職員はこれらの展示スペースの確保をその度にしなくてはならない。紙の作品にはキャスター付の掲示板を用意し、編み物等は作品を置くためのテーブルを用意し、そして、これらの備品の倉庫への保管や取り出しは少人数の職員で大変であった。本発明の支持基板２３が壁面に設置してあったら、習字や絵等はこれから沢山つないで吊り下げられるし、掲示板を吊り下げてもいいし、棚を何段も吊り下げれば編み物等の展示も沢山できるものである。このように、本発明のガイドレール装置は部品交換だけで今までにない多くの展示スペースを空いた壁面を利用して簡単にすばやく設置できるものである。
【００２８】
それから、店舗建築では壁面の有効利用は最大の課題の一つであるが、壁面に本発明の支持基板２３を何段も施工しておいたら、店のオーナーが高価な商品陳列棚を購入しなくても棚やハンガーパイプの新設撤去が簡単にきれいにできるし、気分が変われば店舗の模様替えも、棚やハンガーパイプやフック等の部品の交換だけで簡単に行う事が出来るものである。
【００２９】
上記第３の課題解決手段による効果は次の通りである。すなわち、地震時の縦揺れや横揺れによる家具の転倒防止対策、移動防止対策である。家具の高さは従来より１８０センチ位のものが多いので190センチ位の高さで本発明のガイドレール装置の支持基板２３を壁面に施工しておいて、後で入居者が家具を壁際に置いて本発明の支持基板２３に嵌合した２本または３本の転倒防止具１１１で上から押さえつけて下部に設けた固定板１２３の歯形部１２４で木製家具１５の上面を押圧して食い込ませて上下のガイドレールに縦長スリット１２２を備えた縦部材１２１を上下でねじ止めすると、縦揺れや横揺れによる転倒防止、横揺れによる移動防止が簡単確実にできてしまう。オフィスビル等でスチール製家具の場合は家具の上に粘着ゴム板を置いて固定板１２３で押圧すればよいであろうし、直接家具にビス止めしてもよい。上下で支持基板２３にねじ止めしたことと、縦部材１２１をL型やコ型断面とした事で縦揺れや横揺れの際に発生する軸圧による圧縮はもちろんの事、座屈、曲げ、せん断、或いは引っ張りやねじれに対して耐えるようにしたものである。
【００３０】
そして、高さが200センチ程度の家具も多くなっているが、190センチの高さに支持基板２３が施工してある場合は、壁際に置いた家具１５の両側に覗いている支持基板２３にあらかじめスライドさせてきた転倒防止具１１２で下方に引っ張って上部の固定板１２３の歯形部１２４で家具を下向きに押さえつけて食い込ませるか、ビス止めか、粘着ゴム板等で固定して、上下で支持基板２３にねじ止めすることで、前記と同様に転倒防止、移動防止が可能になった。
又、家具を壁の隅にくっつけて置くこともあるが、隅側のほうは手が入らないため、転倒防止具１１２が取り付けにくい。この場合は少なくとも片側に転倒防止具１１２を取り付けておくだけでかなりの効果を得る事ができるものである。
また、もっと低い130センチ位のローボード等の場合は家具上面が前面と同じ突き板等で仕上げられていて傷をつけ難い。そこで、図６のフック９１を支持基板に取り付けて、これより家具後面の上部に打ち込んだビスにステンレスワイヤロープやプラスチックバンド等で上向きにしっかりと引っ張っておけばよい。または、上面に粘着ゴム板等を置いて長さ５０センチくらいの転倒防止具１１１で押圧してもよい。
【００３１】
それと、上記第４の課題解決手段による効果は次の通りである。すなわち、しっかりと固定された縦部材１２１が高強度だとかえってその取り付け部のねじやビスやその他、少し弱い部分が急激な強い揺れによって破壊される可能性があった。それで、地震の縦、横、斜めの揺れに対して全体が柔軟に対応するように前もって曲げてある弾力性部材１２５を縦部材１２１と固定板１２３の間に設け、固定板１２３を家具１５の上面にビスや粘着ゴム板等で固定したら、本発明の多用途ガイドレール装置は破壊されることなく次々と襲ってくる地震波に耐えて家具の転倒防止、移動防止の役目を果たすものとなる。
【００３２】
近年、建築物の地震対策が問題となっているが建築物本体の方は建築基準法にゆだねるものとし、例えばオフィスビルならば、揺れが収まった後の建物内部において、会社は社員の避難通路の確保に努めなくてはならない。本発明の多用途ガイドレール装置は家具の転倒による人身事故を防止するとともに、社員の避難通路を確保するものである。
【００３３】
大学キャンパスの研究棟において本発明の多用途ガイドレール装置は大きな効果を発揮する。すなわち、どこの教官研究室でも廊下からドアをあけて入ると左右の壁面は整理がつかないほど乱雑に使用されていたが不衛生でもあった。このガイドレール装置を施工しておくと、書棚を転倒防止具で固定したり、ゼミの学生のためのコート掛けを設けたり、黒板、掲示板や棚を取り付けたりして整理整頓がしやすくなる。そして、地震時の安全確保にも役立つ。それから、教官が代わると取り付けた物の撤去がきれいに簡単にできるものである。それから、次に来た教官がまた自分の気に入った物を取り付けることができる。
【発明を実施するための最良の形態】
【００３４】
以下、本発明の実施例について図１〜図１１に基づいて説明する。
【００３５】
図１において、（a）は本発明請求項１のガイドレール装置の支持基板２１を壁面１に堅固に取り付けて上側のガイドレール３１に支持具５のガイド部５１を嵌めて、下側の支点５０は平板面４に当接する図である。建物の壁面というものは細かい凸凹や波打っている場合が多く、又、石膏ボードが張ってある場合が多い。もし、下側の支点５０を受ける場所がこの壁面１であったら、重い荷重が掛かると支持具の下側の支点が不安定になったり、石膏ボードが柔らかいため、めり込んだりする。そこで、図１（a）のように支持基板２１と一体の硬くて丈夫な平板面４を設けた。ｂ）は前記平板面４の下部に支点５０を支えるような立ち上がりを設けた支持基板２２である。（ｃ）、（ｄ）はガイドレールがT字状断面で支持具のガイドがC字状断面の一例である。ここで、棚やハンガーパイプ用のブラケット６１をこの支持基板２１、２２と組み合わせてもいいが、上側のガイドレール３１とガイド５１がしっかりと嵌合しているとはいうものの、地震等の振動によって支点５０が平板面４から浮き上がるという不安は残る。
【００３６】
図２は請求項２の発明の説明図であるが、（ｄ）はC字状ガイドレール３１、３２のスリット部３３に支持具５のガイド部５１、５２又はねじ１０１、１０２が挿入できるような開口部３４を設けたところであり、ガイド５１、５２又はねじ１０１、１０２を前面から挿入後に左右に少しスライドさせれば、上下や前後に引っ張ってもはずれる事はない。これで、地震時や人が下から当たった時でも、上下のレールに嵌合されているのではずれたり、浮き上がるという不安はなくなった。（ｂ）は支持具５の上下の支持部をT字状のガイド５１、５２としたものであり、（ｃ）は請求項６に示すねじ１０１、１０２としたものである。
（a）は支持基板２３をコンクリート壁１３に石膏ボード面１２より少し飛び出る高さに掘り込みアンカーで固着してから、石膏ボードをGL工法（吉野石膏商品名）で張り、その上にビニールクロスで仕上げた図であるが、このような通常の納まりとすれば、見た目がスッキリとするものである。
【００３７】
図３において、（a）は請求項２の発明の説明図であるが、軽鉄間仕切り壁の場合はスタッド１４に石膏ボード１２を張る前に支持基板２２をビス止めして、その後に石膏ボード１２を張り、埋め込み式とした図である。このように埋め込み式とすれば、軽鉄間仕切り壁の場合も室の見栄えがすっきりとするであろう。近年、鉄筋コンクリート造の建築物の壁は主要部分が鉄筋コンクリートで主要でない間仕切り壁は軽鉄間仕切りで設計されている事が多い。そして、壁の仕上げ材料は両者共石膏ボードを張ってビニールクロス仕上げというのが殆どである。そのため、本発明の支持基板を施工するのに、見た目がスッキリするように、また、安上がりで、丈夫で、見栄えよく、工期も早くするために、コンクリート壁と軽鉄間仕切り壁における一般的な石膏ボード張り工法である図２（a）、図３（a）、（ｂ）が推奨される。
特に、図３（ｂ）は上側と下側のガイドレール３１、３２の間の部材を引っ込めて、この部分にも厚さの少し薄い石膏ボード１２を張り、上下の壁面と同面としてビニールクロス１１等で仕上げることができるようにしたものであり、支持基板を更に目立ちにくくした一例である。そして、もし、新築工事時に支持基板を施工するのを忘れた場合は、図３（ｃ）のようにビニールクロスを張った上から支持基板２３をビス等で固着すれば見た目は少し目立つが支持基板の裏面全体でボードを押圧するので充分な強度を発揮するものである。それでも気になる場合は、使用していない支持基板部分２３は（ｄ）のようにプラスチック等で作られた木目やクロス色等の着脱自在の化粧カバーを嵌めてスリット部３３が見えないようにするのも良いであろう。
【００３８】
図４において、（a）は支持基板２３に取り付けるための棚７用のブラケット６１である。（ｃ）は棚７の下部にハンガーパイプ８を取り付けられるようにしたブラケット６３である。
【００３９】
図４において、（ｂ）は支持基板２３に取り付けるためのハンガーパイプ８用のブラケット６２である。（a）、（ｂ）、（ｃ）の支持具の支持部はガイド式であるが、図２（ｃ）の如くねじ式としても良い。
【００４０】
図５において、（a）はガイドレールをT字状とした支持基板２３と、支持具のガイドをC字状とした場合の本発明の一例を示す説明図である。
支持基板２３のガイドレール３１、３２に嵌合する支持具５のガイド５１、５２が上下や前後に引いてもはずれないように嵌合したガイドレールと支持具の形状は（ｂ）、（ｃ）のような丸形以外にも三角形や四角形等いろいろと提案できるものである。
【００４１】
図６において、壁面に固定された支持基板２３に複数本のフック９１を用いてねじ１０１、１０２で締着し、従来は事務所ビル等の入居者が壁面に取り付けることは困難であった黒板１６や掲示板等の比較的に重量のある吊り下げ物１６を吊り下げても丈夫なものである。そして、取り外し時には撤去跡を残さない。これは上下２点、それと、左右のフック９１で支持することにより、一本のレールで左右のフックを１点でねじ止めした場合は黒板１６に文字を書く際に横揺れしていたのを防ぐ事が出来るようにしたものである。また、これらのねじ１０１、１０２はねじ部分が見えぬように化粧ナットとしても良い。
【００４２】
図７において、壁面に堅固に取り付けた支持基板２３のガイドレール３１、３２に上下のねじ１０１、１０２でフック９２を締着し、これの下部の二股のフック９２に額縁等１７の下端を載せて上部の鋭角に折り曲げてあるフック９２に吊り紐を鋏むだけで吊って立て掛けることが出来る。こうすれば、額縁の裏の狭い空間に手を差し込んでフックに紐を結ぶのは難しいことであったが、紐の長さの調節がワンタッチで出来、額縁の傾きを簡単に揃えることが出来る。そして、このフック１１２を同じものを沢山用意しておけば、額縁をたくさん並べても傾きを揃えて立て掛けて飾る事が出来る。校長室等で歴代の写真を飾ってもよいであろうし、事務所等で感謝状等を飾ってもよいであろう。図８のようにねじ止め式ではなくガイド式としても良い。
【００４３】
店舗等の内壁に本発明のガイドレール装置の支持基板２３を何段も施工しておくと、棚７やハンガーパイプ８の取り付け、取り外し、取替えがきれいに簡単に素早く出来て店舗内の模様替えをする際に役立つものである。又、工場や倉庫等でも物品の整理整頓に利用できるものである。店舗用や工場等に適した棚やハンガーパイプのデザインがいろいろと考えられるであろう。
【００４４】
次に請求項３の発明の説明図であるが、図９において、家具１５より少し高い位置の壁面１に堅固に取り付けられた支持基板２３のガイドレール３１、３２にねじを介して嵌合した転倒防止具１１１の下部の固定板１２３で家具１５を押さえつけておいて、ねじ１０１、１０２で締着する。固定板１２３に歯形１２４を設けたら木製家具に食い込んで地震の縦揺れや横揺れによる家具の転倒や横揺れによる横移動を防止するものである。または、ビス止めとしてもよいし、粘着ゴム板等をはさんで固定してもよい。スチール製家具の場合はビス止めとしてもよいが固定用兼クッション用の粘着ゴム板等をはさんで固定してもよいであろう。
【００４５】
図１０において、（a）、（ｃ）は家具１５より少し低い位置の壁面１に取り付けられた場合、支持基板２２のガイドレール３１、３２にねじを介して嵌合した転倒防止具１１２の上部の固定板１２３で家具１５を下向きに引っ張って押圧し、ねじ１０１、１０２で締着する。固定板１２３に歯形１２４を設けて木製家具に食い込ませ縦揺れや横揺れによる家具の転倒や横移動を防止してもよいし、家具の上面にビスで固定するか粘着ゴム板で接着固定しても良い。
ここで、前記転倒防止具１１１、１１２の縦部材１２１は、図１０（ｂ）、（ｃ）のようにコ型やL型断面として縦長のスリット１２２を設け、スライド可能なねじ１０１、１０２で締着しておけば、地震の縦揺れや横揺れの際に発生する圧縮や座屈、曲げ、せん断、或いは引っ張りやねじれに対して丈夫な部材となるものである。また、（e）のようにスチール製家具１５の側面に、支持基板２３に取り付けたL型金具１１３を用いて、ビス止め固定か、粘着ゴム板張り固定等としても良い。
【００４６】
図１１は請求項４の発明の説明図であるが、弾性部材１２５を設けた転倒防止具１１４の固定板１２３を家具１５の上面にビスで固定するか、粘着ゴム板で接着固定してもよい。繰り返しやってくる地震波の縦、横、斜め、あらゆる方向の揺れに対してもこの弾力性部材１２５が柔軟に変形することにより、固定してある家具に加わる地震エネルギーが弱められ、ねじやビスが抜けたりこのガイドレール装置が破壊されるのを防いで、家具の転倒、移動を防止するものである。
【産業上の利用可能性】
【００４７】
本発明のガイドレール装置の支持基板を建築工事の際に建築主等の要望により施工しておけば、後はこれと適合するブラケット、転倒防止具、粘着ゴム板、フック等や棚板、パイプ等はホームセンター等で販売してもよい。そして、入居者が入居後に必要に応じてそれらを購入すればよい。また、棚板やハンガーパイプ等は購入時にホームセンターで必要とする長さに切断加工してもらったら道具を持たない素人でもスパナやドライバーくらいの簡単な道具で見栄えよく、丈夫に取り付けることが可能であるし、取り外しも撤去跡を残さずに簡単に出来るものである。
本発明のガイドレール装置の支持基板は壁面に施工してある際に見た目に違和感のないものでなくてはならない。材質はアルミ押し出し型材、スチール、ステンレス、プラスチック等が考えられるが、強度、形状はもちろんのこと、印刷の柄や色彩のデザインも充分検討されてインテリアにマッチするものとしなくてはならない。
【図面の簡単な説明】
【００４８】
【図１】(a)、（ｂ）、（ｃ）、（ｄ）本発明の実施例を示す説明図。
【図２】(a)、（ｂ）、（ｃ）、（ｄ）本発明の実施例を示す説明図。
【図３】(a)、（ｂ）、（ｃ）、（ｄ）本発明の実施例を示す説明図。
【図４】(a)、（ｂ）、（ｃ）本発明の実施例を示す説明図。
【図５】(a)、（ｂ）、（ｃ）本発明の実施例を示す説明図。
【図６】(a)、（ｂ）本発明の実施例を示す説明図。
【図７】(a)、（ｂ）本発明の実施例を示す説明図。
【図８】(a)、（ｂ）本発明の実施例を示す説明図。
【図９】(a)、（ｂ）、（ｃ）、（ｄ）  本発明の実施例を示す説明図。
【図１０】(a)、（ｂ）、（ｃ）、（ｄ）、（e）本発明の実施例を示す説明図。
【図１１】本発明の実施例を示す説明図。
【符号の説明】
【００４９】
１  壁面
１１  ビニルクロス
１２  石膏ボード
１３  コンクリート
１４  スタッド
２１  支持基板
２２  支持基板
２３  支持基板
２４  化粧カバー
３１  ガイドレール
３２  ガイドレール
３３  スリット
３４  開口部
４  平板面
５  支持具
５０  支点
５１  ガイド
５２  ガイド
６１  片持ちブラケット
６２  片持ちブラケット
６３  片持ちブラケット
７  棚
８  ハンガーパイプ
９１  フック
９２  フック
１０１  ねじ
１０２  ねじ
１１１  転倒防止具
１１２  転倒防止具
１１３  L型金具
１１４  転倒防止具
１２１  縦部材
１２２  スリット
１２３  固定板
１２４  歯形
１２５  弾力性部材
１５  家具
１６  黒板
１７  額縁
【図１】
2007306956.tif 000003
【図２】
2007306956.tif 000004
【図３】
2007306956.tif 000005
【図４】
2007306956.tif 000006
【図５】
2007306956.tif 000007
【図６】
2007306956.tif 000008
【図７】
2007306956.tif 000009
【図８】
2007306956.tif 000010
【図９】
2007306956.tif 000011
【図１０】
2007306956.tif 000012
【図１１】
2007306956.tif 000013
【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
壁に固定される支持基板と、この支持基板に係合される支持具とで構成されるガイドレール装置であって、支持基板の上端とこれより一定の距離に位置する下端とで支えられ、少なくとも上端側においては支持基板のガイドレールと支持具のガイドのいずれか一方がC字状断面であり、他方がこのC字状断面に嵌合するT字状断面を有し、下端側においては支持基板の平板面に支持具が当接する構造であり、上端ガイドレールの前面に開口部を設け、支持具の上端ガイドがこの開口部に前面より着脱自在であり、複数本挿入して横にスライドさせた支持具が固定対象物の両端で固定できる構成としたことを特徴とするガイドレール装置。
【請求項２】
前記支持基板の下端側においても、支持基板のガイドレールと支持具のガイドのいずれか一方がC字状断面であり、他方がこのC字状断面に嵌合するT字状断面であり、上下のガイドレールの前面に開口部を設け、支持具の上下のガイドがこの開口部に前面より着脱自在であり、複数本挿入して横にスライドさせた支持具が固定対象物の両端で固定できる構成としたことを特徴とする請求項１記載のガイドレール装置。
【請求項３】
支持具が前記ガイドレールに着脱自在にねじ止めされ、縦部材と固定板を備えた転倒防止具である請求項２記載のガイドレール装置。
【請求項４】
支持具が固定板との間に弾力性部材を備え、固定対象物を押圧しながら固定する転倒防止具である請求項３記載のガイドレール装置。
【手続補正２】
【補正対象書類名】明細書
【補正対象項目名】００１８
【補正方法】変更
【補正の内容】
【００１８】
そこで、本発明の第1の課題解決手段は上記の目的を達成するために、壁に固定される支持基板と、この支持基板に係合される支持具とで構成されるガイドレール装置であって、支持基板の上端とこれより一定の距離に位置する下端とで支えられ、少なくとも上端側においては支持基板のガイドレールと支持具のガイドのいずれか一方がC字状断面であり、他方がこのC字状断面に嵌合するT字状断面を有し、下端側においては支持基板の平板面に支持具が当接する構造であり、上端ガイドレールの前面に開口部を設け、支持具の上端ガイドがこの開口部に前面より着脱自在であり、複数本挿入して横にスライドさせた支持具が固定対象物の両端で固定できる構成としたことを特徴とするガイドレール装置で構成されるものである。
【手続補正３】
【補正対象書類名】明細書
【補正対象項目名】００１９
【補正方法】変更
【補正の内容】
【００１９】
また、本発明の第２の課題解決手段は上記の目的を達成するために、前記支持基板の下端側においても、支持基板のガイドレールと支持具のガイドのいずれか一方がC字状断面であり、他方がこのC字状断面に嵌合するT字状断面であり、上下のガイドレールの前面に開口部を設け、支持具の上下のガイドがこの開口部に前面より着脱自在であり、複数本挿入して横にスライドさせた支持具が固定対象物の両端で固定できる構成としたことを特徴とする請求項１記載のガイドレール装置で構成されるものである。
【手続補正４】
【補正対象書類名】明細書
【補正対象項目名】００２０
【補正方法】変更
【補正の内容】
【００２０】
それと、本発明の第３の課題解決手段は上記の目的を達成するために、支持具が前記ガイドレールに着脱自在にねじ止めされ、縦部材と固定板を備えた転倒防止具である請求項２記載のガイドレール装置で構成されるものである。
【手続補正５】
【補正対象書類名】明細書
【補正対象項目名】００２１
【補正方法】変更
【補正の内容】
【００２１】
そして、本発明の第３の課題解決手段は上記の目的を達成するために、支持具が固定板との間に弾力性部材を備え、固定対象物を押圧しながら固定する転倒防止具である請求項３記載のガイドレール装置で構成されるものである。
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
壁に固定される支持基板と、この支持基板に係合される支持具とで構成されるガイドレール装置であって、支持基板の上端とこれより一定の距離に位置する下端とで支えられ、支持基板の上端側及び下端側のガイドレールがC字状又はT字状断面であり、支持具の上下のガイドが前記ガイドレールに嵌合するT字状又はC字状断面であり、上下のガイドレールの前面に開口部を設け、支持具の上下のガイドがこの開口部に前面より着脱自在であり、複数本挿入して横にスライドさせた支持具が固定対象物の両端で固定できる構成としたことを特徴とするガイドレール装置。
【請求項２】
支持具が支持基板の上下のガイドレールに着脱自在に嵌合又はねじ止めされる転倒防止具である請求項１記載のガイドレール装置。
【請求項３】
支持具が縦部材と固定板との間に円弧状に曲げ加工された弾力性部材を備えた転倒防止具である請求項１、２記載のガイドレール装置。
【手続補正２】
【補正対象書類名】明細書
【補正対象項目名】００１８
【補正方法】変更
【補正の内容】
【００１８】
そこで、本発明の第１の課題解決手段は上記の目的を達成するために、壁に固定される支持基板と、この支持基板に係合される支持具とで構成されるガイドレール装置であって、支持基板の上端とこれより一定の距離に位置する下端とで支えられ、支持基板の上端側及び下端側のガイドレールがC字状又はT字状断面であり、支持具の上下のガイドが前記ガイドレールに嵌合するT字状又はC字状断面であり、上下のガイドレールの前面に開口部を設け、支持具の上下のガイドがこの開口部に前面より着脱自在であり、複数本挿入して横にスライドさせた支持具が固定対象物の両端で固定できる構成としたことを特徴とするガイドレール装置で構成されるものである。
【手続補正３】
【補正対象書類名】明細書
【補正対象項目名】００１９
【補正方法】変更
【補正の内容】
【００１９】
また、本発明の第2の課題解決手段は上記目的を達成するために、支持具が支持基板の上下のガイドレールに着脱自在に嵌合又はねじ止めされる転倒防止具である請求項１記載のガイドレール装置で構成されるものである。
【手続補正４】
【補正対象書類名】明細書
【補正対象項目名】００２０
【補正方法】変更
【補正の内容】
【００２０】
それと、本発明の第３の課題解決手段は上記目的を達成するために、支持具が縦部材と固定板との間に円弧状に曲げ加工された弾力性部材を備えた転倒防止具である請求項１、２記載のガイドレール装置で構成されるものである。
【手続補正５】
【補正対象書類名】明細書
【補正対象項目名】００２１
【補正方法】変更
【補正の内容】
【００２１】
以上の手段で課題は解決できる。
【手続補正６】
【補正対象書類名】明細書
【補正対象項目名】００２２
【補正方法】変更
【補正の内容】
【００２２】
一参考例として図１のような方法を考案してみた。すなわち、この支持基板２１、２２の少なくとも上端側のガイドレール３１と、支持具５の上側のガイド５１をC字状断面かT字状断面として互いに嵌合するようにし、これより一定の距離に位置する下端側は支持基板２１から延びる平板面４に、支持具５の下側の支点５０を当接するようにしたため、地震の縦揺れや横揺れに支持具５がはずれて落下しないようにしたものである。しかし、これには支持具５の支点５０が平板面４から浮き上がるという不安が残る。
【手続補正７】
【補正対象書類名】明細書
【補正対象項目名】００２４
【補正方法】変更
【補正の内容】
【００２４】
上記第１の課題解決手段による効果は次の通りである。すなわち、図２（a）、（ｂ）のように下端側も上端側と同様なガイドレール３２とガイド５２とし、一定の距離を有する上下２点で互いに嵌合したので、地震や人が下方から頭をぶっつけた際等でも支持基板２３から支持具５がはずれることはないし、下側の支点が浮き上がるという不安もなくなった。また、（ｃ）のようにねじ止め式としてもよい。
【手続補正８】
【補正対象書類名】明細書
【補正対象項目名】００２９
【補正方法】変更
【補正の内容】
【００２９】
上記第２の課題解決手段による効果は次の通りである。すなわち、地震時の縦揺れや横揺れによる家具の転倒防止対策、移動防止対策である。家具の高さは従来より１８０センチ位のものが多いので１９０センチ位の高さで本発明のガイドレール装置の支持基板２３を壁面に施工しておいて、後で入居者が家具を壁際に置いて本発明の支持基板２３に嵌合した２本または３本の転倒防止具１１１で上から押さえつけて下部に設けた固定板１２３の歯形部１２４で木製家具１５の上面を押圧して食い込ませて上下のガイドレールに縦長スリット１２２を備えた縦部材１２１を上下でねじ止めすると、縦揺れや横揺れによる転倒防止、横揺れによる移動防止が簡単確実にできてしまう。オフィスビル等でスチール製家具の場合は家具の上に粘着ゴム板を置いて固定板１２３で押圧すればよいであろうし、直接家具にビス止めしてもよい。上下で支持基板２３にねじ止めしたことと、縦部材１２１をL型やコ型断面とした事で縦揺れや横揺れの際に発生する軸圧による圧縮はもちろんの事、座屈、曲げ、せん断、或いは引っ張りやねじれに対して耐えるようにしたものである。
【手続補正９】
【補正対象書類名】明細書
【補正対象項目名】００３１
【補正方法】変更
【補正の内容】
【００３１】
それと、上記第３の課題解決手段による効果は次の通りである。すなわち、しっかりと固定された縦部材１２１が高強度だとかえってその取り付け部のねじやビスやその他、少し弱い部分が急激な強い揺れによって破壊される可能性があった。それで、地震の縦、横、斜めの揺れに対して全体が柔軟に対応するように前もって曲げてある弾力性部材１２５を縦部材１２１と固定板１２３の間に設け、固定板１２３を家具１５の上面にビスや粘着ゴム板等で固定したら、本発明の多用途ガイドレール装置は破壊されることなく次々と襲ってくる地震波に耐えて家具の転倒防止、移動防止の役目を果たすものとなる。
【手続補正１０】
【補正対象書類名】明細書
【補正対象項目名】００３５
【補正方法】変更
【補正の内容】
【００３５】
図１は参考例として考案したものであるが、（a）はガイドレール装置の支持基板２１を壁面１に堅固に取り付けて上側のガイドレール３１に支持具５のガイド部５１を嵌めて、下側の支点５０は平板面４に当接する図である。建物の壁面というものは細かい凸凹や波打っている場合が多く、又、石膏ボードが張ってある場合が多い。もし、下側の支点５０を受ける場所がこの壁面１であったら、重い荷重が掛かると支持具の下側の支点が不安定になったり、石膏ボードが柔らかいため、めり込んだりする。そこで、図１（a）のように支持基板２１と一体の硬くて丈夫な平板面４を設けた。（ｂ）は前記平板面４の下部に支点５０を支えるような立ち上がりを設けた支持基板２２である。（ｃ）、（ｄ）はガイドレールがT字状断面で支持具のガイドがC字状断面の一例である。ここで、棚やハンガーパイプ用のブラケット６１をこの支持基板２１、２２と組み合わせてもいいが、上側のガイドレール３１とガイド５１がしっかりと嵌合しているとはいうものの、地震等の振動によって支点５０が平板面４から浮き上がるという不安は残る。
【手続補正１１】
【補正対象書類名】明細書
【補正対象項目名】００３６
【補正方法】変更
【補正の内容】
【００３６】
図２は請求項１の発明の説明図であるが、（ｄ）はC字状ガイドレール３１、３２のスリット部３３に支持具５のガイド部５１、５２又はねじ１０１、１０２が挿入できるような開口部３４を設けたところであり、ガイド５１、５２又はねじ１０１、１０２を前面から挿入後に左右に少しスライドさせれば、上下や前後に引っ張ってもはずれる事はない。これで、地震時や人が下から当たった時でも、上下のレールに嵌合されているのではずれたり、浮き上がるという不安はなくなった。（ｂ）は支持具５の上下の支持部をT字状のガイド５１、５２としたものであり、（ｃ）は請求項２に示すねじ１０１、１０２としたものである。
（a）は支持基板２３をコンクリート壁１３に石膏ボード面１２より少し飛び出る高さに掘り込みアンカーで固着してから、石膏ボードをGL工法（吉野石膏商品名）で張り、その上にビニールクロスで仕上げた図であるが、このような通常の納まりとすれば、見た目がスッキリとするものである。
【手続補正１２】
【補正対象書類名】明細書
【補正対象項目名】００３７
【補正方法】変更
【補正の内容】
【００３７】
図３において、（a）は請求項１の発明の説明図であるが、軽鉄間仕切り壁の場合はスタッド１４に石膏ボード１２を張る前に支持基板２２をビス止めして、その後に石膏ボード１２を張り、埋め込み式とした図である。このように埋め込み式とすれば、軽鉄間仕切り壁の場合も室の見栄えがすっきりとするであろう。近年、鉄筋コンクリート造の建築物の壁は主要部分が鉄筋コンクリートで主要でない間仕切り壁は軽鉄間仕切りで設計されている事が多い。そして、壁の仕上げ材料は両者共石膏ボードを張ってビニールクロス仕上げというのが殆どである。そのため、本発明の支持基板を施工するのに、見た目がスッキリするように、また、安上がりで、丈夫で、見栄えよく、工期も早くするために、コンクリート壁と軽鉄間仕切り壁における一般的な石膏ボード張り工法である図２（a）、図３（a）、（ｂ）が推奨される。
特に、図３（ｂ）は上側と下側のガイドレール３１、３２の間の部材を引っ込めて、この部分にも厚さの少し薄い石膏ボード１２を張り、上下の壁面と同面としてビニールクロス１１等で仕上げることができるようにしたものであり、支持基板を更に目立ちにくくした一例である。そして、もし、新築工事時に支持基板を施工するのを忘れた場合は、図３（ｃ）のようにビニールクロスを張った上から支持基板２３をビス等で固着すれば見た目は少し目立つが支持基板の裏面全体でボードを押圧するので充分な強度を発揮するものである。それでも気になる場合は、使用していない支持基板部分２３は（ｄ）のようにプラスチック等で作られた木目やクロス色等の着脱自在の化粧カバーを嵌めてスリット部３３が見えないようにするのも良いであろう。
【手続補正１３】
【補正対象書類名】明細書
【補正対象項目名】００４４
【補正方法】変更
【補正の内容】
【００４４】
次に請求項２の発明の説明図であるが、図９において、家具１５より少し高い位置の壁面１に堅固に取り付けられた支持基板２３のガイドレール３１、３２にねじを介して嵌合した転倒防止具１１１の下部の固定板１２３で家具１５を押さえつけておいて、ねじ１０１、１０２で締着する。固定板１２３に歯形１２４を設けたら木製家具に食い込んで地震の縦揺れや横揺れによる家具の転倒や横揺れによる移動を防止するものである。または、ビス止めとしてもよいし、粘着ゴム板等をはさんで固定してもよい。スチール製家具の場合はビス止めとしてもよいが固定用兼クッション用の粘着ゴム板等をはさんで固定してもよいであろう。
【手続補正１４】
【補正対象書類名】明細書
【補正対象項目名】００４５
【補正方法】変更
【補正の内容】
【００４５】
図１０において、（a）、（ｄ）は家具１５より少し低い位置の壁面１に取り付けられた場合、支持基板２３のガイドレール３１、３２にねじを介して嵌合した転倒防止具１１２の上部の固定板１２３で家具１５を下向きに引っ張って押圧し、ねじ１０１、１０２で締着する。固定板１２３に歯形１２４を設けて木製家具に食い込ませ縦揺れや横揺れによる家具の転倒や横移動を防止してもよいし、家具の上面にビスで固定するか粘着ゴム板で接着固定しても良い。
ここで、前記転倒防止具１１１、１１２の縦部材１２１は、図１０（ｂ）、（ｃ）のようにコ型やL型断面として縦長のスリット１２２を設け、スライド可能なねじ１０１、１０２で締着しておけば、地震の縦揺れや横揺れの際に発生する圧縮や座屈、曲げ、せん断、或いは引っ張りやねじれに対して丈夫な部材となるものである。また、（e）のようにスチール製家具１５の側面に、支持基板２３に取り付けたL型金具１１３を用いて、ビス止め固定か、粘着ゴム板張り固定等としても良い。
【手続補正１５】
【補正対象書類名】明細書
【補正対象項目名】００４６
【補正方法】変更
【補正の内容】
【００４６】
図１１は請求項３の発明の説明図であるが、弾力性部材１２５を設けた転倒防止具１１４の固定板１２３を家具１５の上面にビスで固定するか、粘着ゴム板で接着固定してもよい。繰り返しやってくる地震波の縦、横、斜め、あらゆる方角の揺れに対してもこの弾力性部材１２５が柔軟に変形することにより、固定してある家具に加わる地震エネルギーが弱められ、ねじやビスが抜けたりこのガイドレール装置が破壊されるのを防いで、家具の転倒、移動を防止するものである。
【手続補正１６】
【補正対象書類名】明細書
【補正対象項目名】００４８
【補正方法】変更
【補正の内容】
【００４８】
【図１】（a）、（ｂ）、（ｃ）、（ｄ）一参考例を示す説明図。
【図２】（a）、（ｂ）、（ｃ）、（ｄ）本発明の実施例を示す説明図。
【図３】（a）、（ｂ）、（ｃ）、（ｄ）本発明の実施例を示す説明図。
【図４】（a）、（ｂ）、（ｃ）本発明の実施例を示す説明図。
【図５】（a）、（ｂ）、（ｃ）本発明の実施例を示す説明図。
【図６】（a）、（ｂ）本発明の実施例を示す説明図。
【図７】（a）、（ｂ）本発明の実施例を示す説明図。
【図８】（a）、（ｂ）本発明の実施例を示す説明図。
【図９】（a）、（ｂ）、（ｃ）、（ｄ）本発明の実施例を示す説明図。
【図１０】（a）、（ｂ）、（ｃ）、（ｄ）、（e）本発明の実施例を示す説明図。
【図１１】本発明の実施例を示す説明図。